(57)【要約】【課題】発表資料をスクリーンに投影する方法では、設備が必要であり、聴衆が興味を持った発表の発表資料を読み返すには冊子等が必要である。発表資料のポスターを全て掲示する方法では、所要エリアが大きくなり、狭い会場では混雑の問題が生じる。従来、ポスターパネル等は静的に配置されており、発表者による発表場所を移動せざるを得ない。【解決手段】本発明では、底部に設けられたキャスターにより移動及び旋回可能に構成された縦型筒状体の側周面を掲示面とした立体構成の可動資料掲示体の多数を、部屋の中に予め設定した仮置き用エリア、掲示用エリア、発表用エリア内に移動させるようにすることにより、多量の発表資料を効率的に掲示できると共に、聴衆の殆どが発表用エリアに集中してしまうということを防ぐことができ、会場の床面積が比較的狭い部屋であっても、発表を伴うイベントを合理的に円滑に遂行することができる。【選択図】図１
2014153589.tif 000002
【特許請求の範囲】
【請求項１】
発表を伴うイベントの会場である部屋の少なくとも中央側が受付用エリアとして設定されて受付用機材が配置され、この受付用エリアの周辺が掲示用エリアとして設定されて掲示用機材が配置され、また前記掲示用エリアの一部が発表用エリアとして設定されて発表用機材が配置されると共に、前記掲示用機材は、底部に設けられたキャスターにより移動及び旋回可能に構成された縦型筒状体の側周面が掲示面とされた立体構成の可動資料掲示体の多数を要素として構成され、前記部屋の周辺部の一部には、多数の前記可動資料掲示体の仮置きエリアが設定されており、また前記多数の可動資料掲示体の夫々には、他との識別表示が設けられていると共に、前記掲示用エリアの床面には多数の可動資料掲示体の夫々に対応する識別表示が設けられており、前記多数の可動資料掲示体の夫々は、イベント開始前に仮置きエリアに配置されており、適時に仮置きエリアから掲示用エリアの所定位置に配置されると共に、発表前に発表用エリアに配置され、発表後には再び掲示用エリアに配置される構成であることを特徴とする発表を伴うイベントにおける掲示資料を用いた発表システム。
【請求項２】
可動資料掲示体は、四角形筒状体である請求項１に記載の発表を伴うイベントにおける掲示資料を用いた発表システム。
【請求項３】
可動資料掲示体は、三角形筒状体である請求項１に記載の発表を伴うイベントにおける掲示資料を用いた発表システム。
【請求項４】
可動資料掲示体は、五角形以上の多角形筒状体である請求項１に記載の発表を伴うイベントにおける掲示資料を用いた発表システム。
【請求項５】
可動資料掲示体は、円形筒状体である請求項１に記載の発表を伴うイベントにおける掲示資料を用いた発表システム。
【発明の詳細な説明】
【技術分野】
【０００１】
本発明は、発表を伴うイベント、例えば学会、講演会、講習会等における掲示資料を用いた発表システムに関する。
【背景技術】
【０００２】
学会、講演会、講習会等のイベントにおいて、資料に基づき発表を行う場合、その会場が、講演卓、聴衆用の座席、映像・音響設備等が備え付けられている会場の場合には、例えば、紙資料を書画カメラで撮像してプロジェクタによりスクリーンに投影したり、またノート型パーソナルコンピュータ等に記録された資料をプロジェクタ等によりスクリーンに投影し、このスクリーン上に投影された資料画像を参照して発表が行われることが多い。一方、ホテル等の多目的のホールを用いて、上記学会等のイベントを行う場合には、発表資料のポスターをポスターパネル等に掲示することも多く行われている。
【０００３】
ポスター等を掲示するための従来技術として、特許文献１には、ポスター等を取り付けるパネル部を支持するフレーム部にキャスターを設けて運搬・移動可能とした掲示装置が開示されている。この掲示装置はフレーム部が傾斜しており、掲示面は１面のみであるが、２台を背中合わせに組み合わせることにより、掲示面を２面とすることが記載されている。
【先行技術文献】
【特許文献】
【０００４】
【特許文献１】特開２００６−１８１２２号公報
【発明の概要】
【発明が解決しようとする課題】
【０００５】
発表資料をスクリーンに投影する方法では、設備が必要であると共に、聴衆が興味を持った発表の発表資料を読み返すには冊子が必要である。
【０００６】
発表資料のポスターをポスターパネル等に掲示する方法では、聴衆が興味を持った発表の発表資料を読み返すことができるが、全ての発表資料を掲示しているため会場の所要エリアが大きくなり、狭い会場では混雑の問題が生じる。また、従来、ポスターパネル等は静的に配置されているため、発表者による発表場所を移動せざるを得ない。
【０００７】
特許文献１に示されるような従来の掲示装置で、掲示面を大きくすることができないので、必要量の掲示をするための掲示装置が多く必要となり、更に、会場の所要エリアが大きくなってしまう。
本発明は、以上のような課題を解決することを目的とするものである。
【課題を解決するための手段】
【０００８】
上述した課題を解決するために、本発明では、発表を伴うイベントの会場である部屋の少なくとも中央側が受付用エリアとして設定されて受付用機材が配置され、この受付用エリアの周辺が掲示用エリアとして設定されて掲示用機材が配置され、また前記掲示用エリアの一部が発表用エリアとして設定されて発表用機材が配置されると共に、前記掲示用機材は、底部に設けられたキャスターにより移動及び旋回可能に構成された縦型筒状体の側周面が掲示面とされた立体構成の可動資料掲示体の多数を要素として構成され、前記部屋の周辺部の一部には、多数の前記可動資料掲示体の仮置きエリアが設定されており、また前記多数の可動資料掲示体の夫々には、他との識別表示が設けられていると共に、前記掲示用エリアの床面には多数の可動資料掲示体の夫々に対応する識別表示が設けられており、前記多数の可動資料掲示体の夫々は、イベント開始前に仮置きエリアに配置されており、適時に仮置きエリアから掲示用エリアの所定位置に配置されると共に、発表前に発表用エリアに配置され、発表後には再び掲示用エリアに配置される構成であることを特徴とする発表を伴うイベントにおける掲示資料を用いた発表システムを提案するものである。
【０００９】
また本発明では、前記構成において、可動資料掲示体は、四角形筒状体とすることを提案する。
【００１０】
さらに本発明では、前記構成において、可動資料掲示体は、三角形筒状体とすることを提案する。
【００１１】
さらに本発明では、前記構成において、可動資料掲示体は、五角形以上の多角形筒状体とすることを提案する。
【００１２】
さらに本発明では、前記構成において、可動資料掲示体は、円形筒状体とすることを提案する。
【発明の効果】
【００１３】
本発明の発表システムでは、可動資料掲示体は、縦型四角形筒状体、縦型三角形筒状体、五角形以上の縦型多角形筒状体或いは縦型円形筒状体等の側周面を掲示面とした立体構成であり、従って大きな基台や支持フレームを必要とせずに、それ自体の底部にキャスターを取り付けて安定的に支持、そして移動及び旋回可能とすることができる。
【００１４】
こうして本発明の発表システムでは、大きく、広い掲示面を有する可動資料掲示体の多数を、会場の部屋の掲示用エリアに配置するので、多量の発表資料であっても省スペースで効率的に掲示することができる。
【００１５】
そして、本発明の発表システムでは、部屋の周辺部の一部に多数の可動資料掲示体の仮置きエリアを設定しているため、学会等のイベント開始前や開始直後で、受付が混雑する時間帯には、多数の可動資料掲示体を仮置きエリアに移動しておくことにより、受付用エリアにての受付を待つ聴衆は、可動資料掲示体が片付けられている掲示用エリアにおいても待機することができるため、掲示用エリア及び受付用エリアが混雑をせずに受付作業を効率的に行うことができる。
【００１６】
本発明の発表システムでは、受付作業等が一段落した際、多数の可動資料掲示体は、仮置きエリアから掲示用エリアの、予め設定された所定位置に配置され、そして次の発表に対応する可動資料掲示体が発表用エリアに運ばれて配置される。
【００１７】
こうして、発表者は、発表用エリアにもたらされた可動資料掲示体に掲示された発表資料を参照し、発表用エリアに配置されているワイヤレス拡声器セット等の発表用機材を用いて発表を行うことができる。
【００１８】
この際、可動資料掲示体は、上述した通り縦型筒状体の側周面を掲示面としていることから、十分な量の発表資料を掲示することができ、そしてキャスターにより可動資料掲示体を旋回させることにより、説明対象の発表資料が掲示されている面を正面側にもたらして適切な対応を行うことができる。
【００１９】
このようにして、ある発表者による発表が終了した場合には、その可動資料掲示体は発表用エリアから掲示用エリアの所定位置に移動されて配置されると共に、次の発表者に対応する可動資料掲示体が掲示用エリアから発表用エリアに運ばれてきて配置され、同様に発表がなされる。
【００２０】
本発明の発表システムでは、可動資料掲示体は、発表前、又は発表後は掲示用エリアの所定位置に配置されるため、聴衆は、発表用エリアにて発表者の発表を聴く他、発表が済んで掲示用エリアに戻っている可動資料掲示体に掲示されている発表資料の内容をじっくりと閲覧したり、発表前の可動資料掲示体に掲示されている発表資料の内容を閲覧して予習をすることもできる。
【００２１】
本発明の発表システムでは、こうして、聴衆の殆どが発表用エリアに集中してしまうということを防ぐことができるので、会場の床面積が比較的狭い部屋であっても、発表を伴うイベントを合理的に円滑に遂行することができる。
【図面の簡単な説明】
【００２２】
【図１】図１は本発明に係る発表システムの実施の形態を示す、会場の部屋の平面図である。
【図２】図２は本発明に係る発表システムの実施の形態を、図１とは別の局面において示す、会場の部屋の平面図である。
【図３】図３は本発明に係る発表システムの構成要素である可動資料掲示体の実施の形態を示す透視図である。
【図４】図４は本発明に係る発表システムによる発表状況の一例を示す透視図である。
【図５】図５は本発明に係る発表システムによる発表状況の他例を示す透視図である。
【図６】図６は本発明に係る発表システムによる発表状況を、図５とは別の局面で示す透視図である。
【図７】図７は本発明に係る発表システムの構成要素である可動資料掲示体の他の実施の形態を示す透視図である。
【発明を実施するための形態】
【００２３】
次に、本発明に係る発表システムを、図１〜図７に示す実施の形態を参照して説明する。この実施の形態は、発表を伴うイベントとして、教育研修講演を伴う学会における発表システムを示すものである。
図１は発表時点、図２は発表前の時点における会場の平面図であり、これらの図において符号１は会場としての部屋を示すものである。
本発明では、まず部屋１の少なくとも中央側を受付用エリアＡ１として設定して、そのエリアに受付用機材２を配置する。受付用エリアＡ１は図中２点鎖線で囲んで示しているが、この受付用エリアＡ１は、境界を仕切等で画定される必要はなく、適宜の幅を持たすことができる。そして、この受付用エリアＡ１に配置する受付用機材２としては、図においては、必要な書類等を一時的に収納しておくテント２ａ、受付用のテーブル２ｂ、椅子２ｃ、記帳台２ｄを示しているが、その他、必要な機材を配置することができる。
【００２４】
また本発明では、上記受付用エリアＡ１の周辺を掲示用エリアＡ２と設定して掲示用機材３を配置する構成とし、更に、受付用エリアＡ１の周辺の掲示用エリアＡ２の一部を発表用エリアＡ３として設定して発表用機材４を配置する。
【００２５】
掲示用機材３は、固定掲示パネル３ａと多数の可動資料掲示体３ｂとから構成しており、前者の固定掲示パネル３ａには、例えば個々の発表者の発表資料ではなく、イベント全体としての情報を掲示するようにしており、また後者の可動資料掲示体３ｂには個々の発表者の発表資料を掲示するようにしている。
【００２６】
図３は可動資料掲示体３ｂの実施の形態を示すもので、この可動資料掲示体３ｂは、縦型正四角形筒状体５の底部の四隅にキャスター６を設けて移動及び旋回可能な構成とし、縦型正四角形筒状体５の周面、即ち４面を掲示面７とした構成である。そして各掲示面７の上部には、可動資料掲示体３ｂ及び掲示面７を他から識別するための識別表示を付するための表示用板体８が設けられている。
【００２７】
図７は可動資料掲示体３ｂの実施の形態を示すもので、この可動資料掲示体３ｂは、縦型正三角形筒状体９の底部にキャスター７を設けて移動及び旋回可能な構成とし、縦型正三角形筒状体５の周面、即ち３面を掲示面７とした構成である。そして、上記実施の形態と同様に各掲示面７の上部には、可動資料掲示体３ｂ及び掲示面７を他から識別するための識別表示を付するための表示用板体８が設けられている。
【００２８】
以上の実施の形態では、可動資料掲示体３ｂを構成する筒状体は、縦型正四角形筒状体５と縦型正三角形筒状体１０を挙げているが、この外、場合によっては、五角形以上の縦型多角形筒状体としても良いし、縦型円形筒状体とすることもできる。
【００２９】
一方、発表用エリアＡ３に配置する発表用機材４は、例えば、図５、図６に示すワイヤレス拡声器セットである。
【００３０】
更に前記部屋１の周辺部の一部には、多数の前記可動資料掲示体３ｂの仮置きエリアＡ４が設定されている。
【００３１】
次に、図面中に示した他の構成要素を説明すると、符号１０は出入口、１１は会員等への連絡板、１２はテーブルと椅子のセット、１３はクローク、１４は学会等の事務局を示すものである。
【００３２】
以上の構成において、本発明の発表システムでは、可動資料掲示体３ｂは、縦型四角形筒状体５、縦型三角形筒状体１０、五角形以上の多角形筒状体或いは円形筒状体等の側周面を掲示面７とした立体構成であり、従って大きな基台や支持フレームを必要とせずに、それ自体の底部にキャスター６を取り付けて安定的に支持、そして移動及び旋回可能とすることができる。
【００３３】
こうして本発明の発表システムでは、大きく、広い掲示面７を有する可動資料掲示体３ｂの多数を、会場の部屋１の掲示用エリアＡ２に配置するので、多量の発表資料であっても省スペースで効率的に掲示することができる。
【００３４】
そして、本発明の発表システムでは、部屋１の周辺部の一部に多数の可動資料掲示体３ｂの仮置きエリアＡ４を設定しているため、学会等のイベント開始前や開始直後で、受付が混雑する時間帯には、多数の可動資料掲示体３ｂを仮置きエリアＡ４に移動しておくことにより、受付用エリアＡ１にての受付を待つ聴衆は、可動資料掲示体３ｂが片付けられている掲示用エリアＡ２においても待機することができるため、受付用エリアＡ１及び掲示用エリアＡ２が混雑をせずに受付作業を効率的に行うことができる。
【００３５】
本発明の発表システムでは、受付作業等が一段落した際、多数の可動資料掲示体３ｂは、仮置きエリアＡ４から掲示用エリアＡ２の、予め設定された所定位置に配置され、そして次の発表に対応する可動資料掲示体３ｂは発表用エリアＡ３に運ばれて配置される。
【００３６】
多数の可動資料掲示体３ｂの夫々は、可動資料掲示体３ｂの夫々に設けられた表示用板体８等に表示された識別表示、例えば図４の「２−４−ＰＯ３２〜３４」という表示や、図５、図６の「２−４−ＰＯ５１〜５４」というような表示により識別することができ、従って、各発表者の発表資料と、それを掲示する可動資料掲示体３ｂとの対応を容易に正確に行うことができる。そして更に、各可動資料掲示体３ｂを配置する掲示用エリアＡ２の予め設定された所定位置は、掲示エリアＡ２の床面に表示を行うことにより、容易に正確な配置を行うことができる。
【００３７】
こうして、発表者１５は、発表用エリアＡ３にもたらされた可動資料掲示体３ｂに掲示された発表資料１６を参照し、発表用エリアＡ３に配置されているワイヤレス拡声器セット等の発表用機材４を用いて発表を行うことができる。
【００３８】
この際、可動資料掲示体３ｂは、上述した通り縦型筒状体の側周面を掲示面７としていることから、十分な量の発表資料１６を掲示することができ、そしてキャスター６により可動資料掲示体３ｂを旋回させることにより、例えば図５、図６に示すように、説明対象の発表資料１６が掲示されている面を旋回により変更して正面側にもたらして適切な対応を行うことができる。
【００３９】
このようにして、ある発表者１５による発表が終了した場合には、その可動資料掲示体３ｂを発表用エリアＡ３から掲示用エリアＡ２の所定位置に移動して配置すると共に、次の発表者１３に対応する可動資料掲示体３ｂを掲示用エリアＡ２から運んできて発表用エリアＡ３に配置し、同様に発表がなされる。
【００４０】
本発明の発表システムでは、可動資料掲示体３ｂは、イベント開始後で、発表時点以外には掲示用エリアＡ２に配置されているため、聴衆は、発表用エリアＡ３にて発表者１５の発表を聴く他、発表が済んで掲示用エリアＡ２に戻っている可動資料掲示体３ｂに掲示されている発表資料１６の内容をじっくりと閲覧したり、発表前の可動資料掲示体３ｂに掲示されている発表資料１６の内容を閲覧して予習をすることもできる。
【００４１】
こうして、本発明の発表システムでは、聴衆が発表用エリアＡ３に集中することを防ぐことができるので、狭い会場であっても、発表を伴うイベントを合理的に遂行することができる。
【産業上の利用可能性】
【００４２】
本発明の発表システムは以上の通りであり、発表を伴うイベント、例えば学会、講演会、講習会等における掲示資料を用いた発表システムに適用することができ、産業上の利用可能性大である。
【符号の説明】
【００４３】
Ａ１            受付用エリア
Ａ２            掲示用エリア
Ａ３            発表用エリア
Ａ４            仮置き用エリア
１              部屋（会場）
２              運営用機材
２ａ          テント
２ｂ          テーブル
２ｃ          椅子
２ｄ          記帳台
３              掲示用機材
３ａ          固定掲示パネル
３ｂ          可動資料掲示体
４              発表用機材（ワイヤレス拡声器セット）
５              縦型四角形筒状体
６              キャスター
７              掲示面
８              表示用板体
９              縦型三角形筒状体
１０            出入口
１１            連絡板
１２            テーブルと椅子のセット
１３            クローク
１４            事務局
１５            発表者
１６            発表資料
【図１】
2014153589.tif 000003
【図２】
2014153589.tif 000004
【図３】
2014153589.tif 000005
【図４】
2014153589.tif 000006
【図５】
2014153589.tif 000007
【図６】
2014153589.tif 000008
【図７】
2014153589.tif 000009